(57)【要約】【課題】テープと係合部材からなるファスナーに薬剤を含有する被膜を付着し、害虫の忌避効果、不快臭の消臭効果を図ったファスナーを提供する。【解決手段】衣料品、寝装品、雑貨用品、インテリア製品などの開口部に用いるスライドファスナー、面ファスナー、スナップファスナー、フックアンドアイテープなどのファスナー１におけるテープ２と係合部材３にダニ、蚊、蝿、ゴキブリなどの害虫を寄せつけない忌避効果のある防虫剤、また汗臭、加齢臭、排泄臭、タバコ臭、生ゴミ臭などの不快臭を減少させる消臭効果がある消臭剤を含有する被膜を付着させた薬剤付きファスナーである。【選択図】　図１
2004016751.tif 000002
【特許請求の範囲】
【請求項１】
テープ２と該テープ２に固定される係合部材３とを備えたファスナー１において、ファスナー１のテープ２および／または係合部材３の表面に薬剤を付着してなることを特徴とする薬剤付きファスナー。
【請求項２】
薬剤は害虫の忌避効力を有する防虫剤からなる請求項１記載の薬剤付きファスナー。
【請求項３】
薬剤は不快臭の減少効力を有する消臭剤からなる請求項１記載の薬剤付きファスナー。
【請求項４】
ファスナー１は、スライドファスナー５、面ファスナー６、スナップファスナー８、フックアンドアイテープから形成してなる請求項１記載の薬剤付きファスナー。
【発明の詳細な説明】
【０００１】
【発明の属する技術分野】
この発明は、テープと係合部材とから形成されたスライドファスナー、面ファスナー、スナップファスナー、フックアンドアイテープなどに薬剤を付着して防虫効力、消臭効力のある薬剤付きファスナーに関するものである。
【０００２】
【従来の技術】
近年、身の回りの生活環境を清潔に保ち、安心して日常生活を過ごせることが要望されている。たとえばシャツ、ブラウス、パジャマなどの衣料品、枕カバー、ふとんカバーなどの寝装品、カーテン、カーペット、シートカバーなどのインテリア製品に、ダニ、蚊、蝿、ゴキブリなどの害虫を寄せつけない忌避機能や、汗臭、加齢臭、排泄臭、タバコ臭、生ゴミ臭などの不快臭を減少させる消臭機能を具有させる動きが高まっている。
【０００３】
上述した製品には、製品の開口部分を開閉自在にすべく係脱可能なスライドファスナー、面ファスナー、スナップファスナー、フックアンドアイテープなどのファスナーが装着されており、このファスナーにおいても同様な機能を具有することが求められている。たとえば特許第３０９１３３７号公報は基材布部に係合部を密生した面ファスナーにおいて、基材布部にゴキブリ忌避剤を添着することが開示されている。
【０００４】
【発明が解決しようとする課題】
前項で述べた特許においては、基材布部と係合部から形成された面ファスナーにおいて、基材布部のみにゴキブリ忌避剤を添着させたものであり、面ファスナーの全ての部材に添着させていないので、高い忌避効力を安定して発揮することが難しい。また面ファスナーの基材布部のみに忌避剤を添着させる作業が面倒であるなど問題点がある。
【０００５】
この発明は、上述の問題点を考慮して発明されたものであり、請求項１記載の発明は、面ファスナーを始め、衣料品、寝装品、雑貨用品、インテリア製品などの開口部に用いる全てのファスナーに適用できる。テープと係合部材に薬剤を含有する被膜を均一かつ簡易に付着させることができる薬剤付きファスナーを提供することが主たる目的である。
【０００６】
請求項２記載の発明は、請求項１記載の発明の目的に加え、衣料品、寝装品、雑貨用品、インテリア製品にダニ、蚊、蝿、ゴキブリなどの害虫を寄せつけない忌避効果のある薬剤を付着させた薬剤付きファスナー提供することが目的である。
【０００７】
請求項３記載の発明は、請求項１記載の発明の目的に加え、衣料品、寝装品、雑貨用品、インテリア製品に汗臭、加齢臭、排泄臭、タバコ臭、生ゴミ臭などの不快臭を減少させる消臭効果がある薬剤を付着させた薬剤付きファスナーを提供することが目的である。
【０００８】
請求項４記載の発明は、請求項１記載の発明の目的に加え、衣料品、寝装品、雑貨用品、インテリア製品に用いるファスナーを特定し、最適な効果が発揮できる薬剤付きファスナーを提供することが目的である。
【０００９】
【課題を解決するための手段】
前記の目的を達成するため、この発明のうち請求項１記載の発明は、衣料品、寝装品、雑貨用品、インテリア製品に用いるファスナー１は、織成または編成されたテープ２と、このテープ２に固定された熱可塑性樹脂製の係合部材３の表面に薬剤を付着させた薬剤付きファスナーを主な構成とするものである。
【００１０】
請求項２記載の発明は、請求項１記載の発明の構成に加え、テープ２および係合部材３に被着させる薬剤は、ダニ、蚊、蝿、ゴキブリなどの害虫の忌避効力がある防虫剤を付着させた薬剤付きファスナーである。
【００１１】
請求項３記載の発明は、請求項１記載の発明の構成に加え、テープ２および係合部材３に被着させる薬剤は汗臭、加齢臭、排泄臭、タバコ臭、生ゴミ臭などの不快臭を減少させる消臭効力がある消臭剤を付着させた薬剤付きファスナーである。
【００１２】
請求項４記載の発明は、請求項１記載の発明の構成に加え、衣料品、寝装品、雑貨用品、インテリア製品に用いるファスナー１は、スライドファスナー５、面ファスナー６、スナップファスナー８、フックアンドアイテープなどのファスナー１から形成した薬剤付きファスナーである。
【００１３】
【発明の実施の形態】
以下、この発明の薬剤付きファスナーについて、図面を参照しながら具体的に説明する。
【００１４】
この発明の薬剤付きファスナーとして、シャツ、ブラウス、パジャマなどの衣料品、枕カバー、ふとんカバーなどの寝装品、袋物、カバン、成人用おむつおよびおむつカバーなどの雑貨用品、カーテン、カーペット、シートカバーなどのインテリア製品に用いるファスナー１は、図１に示すようなスライドファスナー５、図２に示すような面ファスナー６、図３に示すようなテープ付き成形面ファスナー７、図４に示すようなテープ付きスナップファスナー８、この他フックアンドアイテープ、ベルトアジャスターなどがある。
【００１５】
図１に示すスライドファスナー５は、ポリアミド繊維、ポリエステル繊維から織成または編成したファスナーテープ１１の一側縁にポリアミド、ポリエステル、ポリアセタール、ポリプロピレンなどから成形した線条ファスナーエレメント１２、または射出成形ファスナーエレメントを取り付け、さらにスライダー１３、上止め１４、下止め１５を取り付けたスライドファスナー５である。
【００１６】
図２に示す面ファスナー６は、ポリアミド繊維、ポリエステル繊維から織成または編成した基布１７にマルチフィラメントから形成したループ係合素子１８、またモノフィラメントから形成したフック係合素子１９を備えた面ファスナー６であり、面ファスナー６のフック係合素子１９に代えてキノコ状の係合素子を装備させてもよい。また図３に示すようにポリアミド繊維、ポリエステル繊維から織成または編成した取付けテープ２１に、ポリアミド、ポリエステル、ポリアセタール、ポリプロピレンなどの樹脂を用いてフック係合素子１９を押出し成形したテープ付き成形面ファスナーである。
【００１７】
図４に示すテープ付きスナップファスナー８は、ポリアミド繊維、ポリエステル繊維から織成または編成した取付けテープ２４に所定間隔で、ポリアミド、ポリエステル、ポリアセタール、ポリプロピレンなどの樹脂を用いて押出し成形または射出成形によって雄スナップ２５、雌スナップ２６を装備したテープ付きスナップファスナーである。この他フックアンドアイテープ、ウエスト調節ができるウエスト調節具がある。
【００１８】
次にテープ２および係合部剤３の表面に被着させる薬剤について説明すると、害虫の忌避効力のある防虫剤は、有機酸エステル化合物を成分とし、バインダーにアクリル酸エステル系共重合樹脂を成分とし、この防虫剤は忌避効力を有し、ダニ、蚊、蝿、ゴキブリなどの害虫が薬剤の臭い、触覚、味覚、雰囲気などに対して負の走行性を示し、そこから逃げる性質を利用したものである。嗅覚に対する嗅覚忌避剤（蒸散性忌避剤）、味覚は触覚に対する接触忌避剤などがある。
【００１９】
テープ２および係合部材３の表面に薬剤として防虫剤を添加した被膜を形成する場合は、まず水に防虫剤と、防虫剤をテープ２や係合部材３に固定するバインダーと加える。この液体にファスナー１を浸漬して表面に防虫剤とバインダーを付着させる。ファスナー１を液体内から取り出した後に加熱乾燥させて、バインダーにより防虫剤をファスナー１の表面に付着させる。防虫剤が付着したファスナー１は、防虫剤が付着していないファスナーと比較して、５０％以上の害虫忌避率を有するものとする。
【００２０】
テープ２および係合部材３の表面に被着させる不快臭の減少効力のある消臭剤は、亜鉛、シリカ、ヒドラジンなどを成分とし、バインダーはアクリル酸エステル系共重合樹脂を成分としている。アンモニア、酢酸、イソ吉草酸、硫化水素、ノネナール、インドールなどの臭気成分を吸着して化学結合する。洗濯時に臭気成分を界面活性剤溶液中に放出することで、効能を再生することができる。
【００２１】
テープ２および係合部材３の表面に消臭剤を添加した被膜を形成する場合は、防虫剤の被着手段と同様に、水に消臭剤と、消臭剤をテープ２や係合部材３に固定するバインダーと加える。この液体にファスナー１を浸漬して表面に消臭剤とバインダーを付着させる。ファスナー１を液体内から取り出した後に加熱乾燥して、バインダーにより消臭剤をファスナー１の表面に付着させる。消臭剤が付着したファスナー１は、消臭剤が付着していないファスナーと比較して、６０％以上の不快臭減少率を有するものとする。
【００２２】
＜防虫剤の実施例＞
テープ２や係合部材３の表面に防虫剤を添加した被膜を形成するために、防虫剤として大和化学工業株式会社製「アニンセンＣＢＨ」を用い、バインダーとして大和化学工業株式会社製「アニンセンＢＮＡ」を用いた。
実施例１として、水に防虫剤の「アニンセンＣＢＨ」を３％、バインダーの「アニンセンＢＮＡ」を３％加え、この水溶液の槽内にポリエステル製の連続ファスナー１を浸漬しながら走行させ、ファスナー１の表面に防虫剤とバインダーを付着させた。ファスナー１を槽外へ移送した後、乾燥し熱処理した。
実施例２として、水に防虫剤の「アニンセンＣＢＨ」を５％、バインダーの「アニンセンＢＮＡ」を５％加え、この水溶液の槽内に連続ファスナー１を浸漬しながら走行させ、ファスナー１の表面に防虫剤とバインダーを付着させた。ファスナー１を槽外へ移送した後、乾燥し熱処理した。
防虫剤によるダニの忌避効能の効力確認試験（侵入阻止法）を行った。
［試験方法］
外径約９０ｍｍ、高さ約２０ｍｍのガラスシャーレに生存ダニ数約３，０００匹を含む量のダニ培地を均一に広げ直径１００ｍｍ以上の昆虫用粘着トラップ上に置き、その中央に外径約４５ｍｍ、高さ１５ｍｍのガラスシャーレを置く。このガラスシャーレにはあらかじめガラスシャーレの内径と同じサイズに切り抜いた試料を敷き込み、中心に直径約１０ｍｍの範囲内に誘引用にダニ未接種培地０．０５ｇを置く。これを、粘着トラップごと飽和食塩水の入った食品保存用プラスチック製容器に入れ、密閉する。次に、この食品保存用プラスチック製容器を全暗状態の恒温器中に静置し、容器内が２５±１℃、７５±５％ＲＨを維持している状態で２４±１時間飼育の後、試料をウォータージェット方式にてダニを回収ののち計数する。未加工試料についても同時に試験を行う。なお、試験はばらつきを考慮し、３回の繰り返しを行った。
まず、無効能のファスナー１においては３２０７匹のダニが生存していた。　実施例１のファスナー１においては２３７匹のダニが存在し、無効能のファスナー１と比較して９２．６％の忌避率であった。また、ＪＩＳ　Ｃ　９６０６による洗濯試験方法を５回行った後においては２９８匹のダニが存在し、無効能のファスナー１と比較して９０．７％の忌避率であった。
実施例２のファスナー１においては１５９匹のダニが存在し、無効能のファスナー１と比較して９５％の忌避率であった。また、ＪＩＳ　Ｃ　９６０６による洗濯試験方法を５回行った後においては３０３匹のダニが存在し、無効能のファスナー１と比較して９０．６％の忌避率であった。
以上の結果より、実施例１，２のファスナーは５０％以上のダニ忌避率を有し、また洗濯後においても忌避率は著しく低下することなく、５０％以上のダニ忌避率を維持することが理解できる。
【００２３】
＜消臭剤の実施例＞
テープ２や係合部材３の表面に消臭剤を添加した被膜を形成するために、消臭剤として大和化学工業株式会社製「ノネノンＩＤＬ」を用い、バインダーとして大和化学工業株式会社製「ファインコート３０Ｇ」を用いた。
実施例３として、水に消臭剤の「ノネノンＩＤＬ」を７％、バインダーの「ファインコート３０Ｇ］を２．８％加え、この水溶液の槽内に連続ファスナー１を浸漬しながら走行させ、ファスナー１の表面に消臭剤とバインダーを付着させた。ファスナー１を槽外へ移送した後、乾燥し熱処理した。
実施例４として、水に消臭剤の「ノネノンＩＤＬ」を１０％、バインダーの「ファインコート３０Ｇ」を４％加え、この水溶液の槽内に連続ファスナー１を浸漬しながら走行させ、ファスナー１の表面に消臭剤とバインダーを付着させた。ファスナー１を槽外へ移送した後、乾燥し熱処理した。
消臭剤によるノネナール、インドールの減少効能の効力確認試験（ガスクロマトグラフィー測定法）を行った。
［ガスクロマトグラフィーの測定方法］
試験布（１００ｃｍ２　）の入ったガラス瓶（１００ｍｌ）にインドール１０ｇ／ｌエタノール溶液を５μｌ注入し２０分間常温で放置した。２０分後ガラス瓶中のガス（０．５ｍｌ）を摂取し、これを（株）島津製作所社製のＧＣ−１７Ａを用いて測定を行った。
実施例３のファスナー１においては洗濯前でノネナールの減少率が７３．２％、インドールの減少率が８６％であった。また、ＪＩＳ　Ｃ　９６０６による洗濯試験方法を５回行った後においてはノネナールの減少率が６９．５％、インドールの減少率が９３．１％であった。
実施例４のファスナー１においては洗濯前でノネナールの減少率が８４．３％、インドールの減少率が９２．３％であった。また、ＪＩＳ　Ｃ　９６０６による洗濯試験方法を５回行った後においてはノネナールの減少率が８２．６％、インドールの減少率が９４．９％であった。
以上の結果より、実施例３〜４のファスナーは６０％以上のノネナールとインドールの減少率を有し、また洗濯後においても減少率は著しく低下することなく、６０％以上のノネナールとインドールの減少率を維持することが理解できる。
【００２４】
【発明の効果】
この発明の薬剤付きファスナーは、以上説明したとおりの構成であり、この構成によって下記の効果を奏するものである。
【００２５】
この発明のうち請求項１記載の発明は、テープと該テープに固定される係合部材とを備えたファスナーにおいて、ファスナーのテープおよび／または係合部材の表面に薬剤を付着したことによって、ファスナーを数度洗濯しても薬剤が容易に分離して効能が低下することがなく、長期にわたって安定した効能を発揮できる。またファスナーに薬剤による効能を簡易に具有させることができ、低コストで製造することができる効果がある。
【００２６】
請求項２記載の発明は、請求項１記載の発明の効果に加え、薬剤は害虫の忌避効力を有する防虫剤であることによって、ファスナーにダニ、蚊、蝿、ゴキブリなどの害虫を寄せつけないので、害虫による小児喘息や、アトピー性皮膚炎などのアレルギー性皮膚炎などのアレルギー疾患の発病を抑える効果がある。
【００２７】
請求項３記載の発明は、請求項１記載の発明の効果に加え、薬剤は不快臭の減少効力を有する消臭剤であることによって、ファスナーに汗臭、加齢臭、排泄臭、タバコ臭、生ゴミ臭などの臭気成分が触れることにより不快臭を減少させることができる効果がある。
【００２８】
請求項４記載の発明は、請求項１記載の発明の効果に加え、ファスナーは、スライドファスナー、面ファスナー、スナップファスナー、フックアンドアイテープから形成したことによって、衣料品、寝装品、雑貨用品、インテリア製品のファスナーとしてよく用いられる。スライドファスナー、面ファスナー、スナップファスナー、フックアンドアイテープに簡単かつ容易に害虫の忌避機能、また不快臭を減少させる消臭機能を具有させることができる効果があるなど、この発明が奏する効果はきわめて顕著である。
【図面の簡単な説明】
【図１】スライドファスナーの正面図である。
【図２】面ファスナーの斜視図である。
【図３】テープ付き成形面ファスナーの斜視図である。
【図４】テープ付きスナップファスナーの斜視図である。
【符号の説明】
１　　　　ファスナー
２　　　　テープ
３　　　　係合部材
５　　　　スライドファスナー
６　　　　面ファスナー
７　　　　テープ付き成形面ファスナー
８　　　　テープ付きスナップファスナー
１１　　　　ファスナーテープ
１２　　　　ファスナーエレメント
１７　　　　基布
１８　　　　ループ係合素子
１９　　　　フック係合素子
２１　　　　取付テープ
２２　　　　成形面ファスナー
２４　　　　取付テープ
２５　　　　雄スナップ
２６　　　　雌スナップ
【図１】
2004016751.tif 000003
【図２】
2004016751.tif 000004
【図３】
2004016751.tif 000005
【図４】
2004016751.tif 000006